(57)【要約】【課題】水栓の設置場所に存在する障害物との位置関係に応じて、構成部品を変更することなく、右勝手設置及び左勝手設置のどちらの設置条件にも対応可能な水栓の取付構造を提供する。【解決手段】水栓１０は、湯水の流路１１が形成された水栓本体１２と、水栓本体１２に回転自在に取付けられた回転軸１４と、回転軸１４に固定された吐水部１５と、吐水部１５と回転軸１４とを固定するためのビス１６と、を備え、水栓本体１２には回転軸１４の回転範囲を規制するストッパ部１２ｓが設けられ、回転軸１４には、ストッパ部１２ｓに当接してその回転を規制するストッパ受け部１４ｓ，１３ｔが設けられ、回転軸１４はビス１６によって吐水部１５を固定するための複数の取付穴１４ａを有し、吐水部１５はビス１６によって回転軸１４に固定するための固定孔１５ａを有している。【選択図】図２
2010229686.tif 000002
【特許請求の範囲】
【請求項１】
水栓が取付けられる場所に存在する障害物との位置関係に応じて右勝手設置、左勝手設置のどちらにも対応可能な水栓の取付構造であって、
前記水栓は、基台に固定され湯水の流路が形成された水栓本体と、前記水栓本体の流路と連通した流路である第二流路が形成され前記水栓本体に回転自在に取付けられる回転軸と、前記回転軸に固定され前記第二流路を通過した前記湯水を外部へ吐出する吐水部と、前記吐水部と前記回転軸とを固定するための固定部材と、前記流路及び前記第二流路に流れる湯水を調節するとともに前記水栓本体に対して決まった位置で当該水栓本体に装着される操作部と、を備え、
前記水栓本体は前記回転軸の回転範囲を規制するストッパ部を有し、
前記回転軸は前記ストッパ部に当接することで回転が規制されるストッパ受け部を有し、
前記回転軸は前記固定部材によって前記吐水部が固定される取付部を有し、
更に、前記吐水部は前記固定部材によって前記回転軸が固定される固定部を有し、
前記吐水部は前記固定部を複数有し、前記複数の固定部の何れか一つを選択して用いて前記回転軸に前記吐水部を固定するか、
あるいは、前記回転軸は前記取付部を前記回線軸の周方向に複数有し、前記複数の取付部の何れか一つを選択して用いて前記吐水部を前記回転軸に固定することにより、
前記水栓本体に対する前記吐水部の回転範囲が対応可能であることを特徴とする水栓取付構造。
【請求項２】
前記固定部材はビスであり、前記取付部が前記ビス固定用の取付孔であり、前記固定部が前記ビス固定用の固定孔であり、
前記回転軸は左勝手設置用及び右勝手設置用の二つの取付孔を有し、更に、前記吐水部は、前記吐水部に形成された吐水口の向きと反対側の位置に前記固定孔を有し、
前記吐水口が前記操作部に向く方向に対して９０度回転した位置において、前記取付孔に対して前記吐水部の前記固定孔にビス固定することを特徴とする請求項１記載の水栓取付構造。
【請求項３】
前記回転軸の露出部分に、前記右勝手設置用及び左勝手設置用の取付孔の位置を示す指標を設けたことを特徴とする請求項２記載の水栓取付構造。
【発明の詳細な説明】
【技術分野】
【０００１】
本発明は、浴室や洗面化粧台などのカウンタに取付けられる水栓、特に、湯水を吐出する吐水部がカウンタの上部に露出した状態で回転自在に設置される水栓の取付構造に関する。
【背景技術】
【０００２】
浴槽や洗面化粧台などのカウンタに取り付けられる水栓として、湯水を吐出する吐水口がカウンタの上部に回転自在に露出した状態で取り付けられる「埋込式水栓」が知られている（例えば、特許文献１参照。）。この「埋込式水栓」は、カウンタの下部に取り付けられる水栓本体と、水栓本体から供給される湯水を吐出するためカウンタの上部に露出状態で取り付けられる吐水部と、を備え、水栓本体は、湯水の通過流路を内蔵する接続筒と、この接続筒内部に回転自在に装着された取付金具と、接続筒をカウンタに固定するためカウンタの上部から接続筒に螺着されるナットと、を有し、吐水部は前記ナットを覆うような状態で取付金具に固定されている。
【０００３】
一方、システムバスなどの浴槽に設置される水栓として、図１５（ａ），（ｂ）に示すような水栓１００が知られている。水栓１００は、浴槽１０５の上縁部１０６に所定角度範囲内で回転自在に設置された吐水部１０１、給湯ハンドル１０２及び給水ハンドル１０３などで構成されている。水栓１００を設置する場合、システムバスのレイアウトの違いに応じて、図１５（ａ）に示す「右勝手設置」の施工あるいは図１５（ｂ）に示す「左勝手設置」の施工が行われている。
【０００４】
図１５（ａ）に示す「右勝手設置」は浴槽１０５の左側に壁面Ｗがある場合の施工形態であり、水栓１００の吐水部１０１を回転させたときに壁面Ｗに接触しないように、吐水部１０１の回転範囲ＺＲは壁面Ｗから離れた浴槽１０５の上方領域に設定されている。図１５（ｂ）に示す「左勝手設置」は浴槽１０５の右側に壁面Ｗがある場合の施工形態であり、「右勝手設置」の場合と同様、吐水部１０１を回転させたときに壁面Ｗに接触しないように、吐水部１０１の回転範囲ＺＬは壁面Ｗから離れた浴槽１０５の上方領域に設定されている。
【先行技術文献】
【特許文献】
【０００５】
【特許文献１】特開２００５−３３６７５８号公報
【発明の概要】
【発明が解決しようとする課題】
【０００６】
特許文献１記載の「埋込式水栓」は吐水部が取付金具と一体に回転するので比較的広い範囲で湯水を吐出することができる点では優れているが、回転範囲を変更することができないので、吐水部の回転範囲内に壁面などの障害物が存在する場所に設置した場合、吐水部を回転させたときに壁面などに接触することがある。従って、この「埋込式水栓」をシステムバスなどの浴槽に設置した場合、レイアウトの違いに応じて、図１５（ａ）に示す「右勝手設置」あるいは図１５（ｂ）に示す「左勝手設置」に対応することができない。
【０００７】
一方、図１５に示す水栓１００は、前述したように、ユニットバスのレイアウトの違いに応じて「左勝手設置」及び「右勝手設置」の施工を行うことができるが、吐水部の回転範囲は接続筒の内部のストッパと取付金具の突起との関係で一義的に決まってしまう。従って、一揃いの部品セットのみで、これら二種類の設置形態に対応することができず、「左勝手設置」用と「右勝手設置」用の二種類の部品セットが用意されているのが実状である。
【０００８】
しかしながら、形式的には一種類の水栓１００について、「左勝手設置」用及び「右勝手設置」用の二種類の部品セットを設定した場合、品番数の増加に伴う在庫管理の煩雑化を招くだけでなく、受発注ミスを誘発し易く、再発注に起因する施工期間の遅延などが生じることもある。また、施工現場における吐水部の左右設置形態の不適合に気付かないまま設置された後、使用者が水栓の吐水部を操作したときに左右不適合に気付き、設置工事のやり直しが必要となることもある。
【０００９】
本発明が解決しようとする課題は、水栓の設置場所に存在する障害物との位置関係に応じて、構成部品を変更することなく、右勝手設置及び左勝手設置のどちらの設置条件にも対応可能な水栓取付構造を提供することにある。
【課題を解決するための手段】
【００１０】
本発明の水栓の取付構造は、水栓が取付けられる場所に存在する障害物との位置関係に応じて右勝手設置、左勝手設置のどちらにも対応可能な水栓の取付構造であって、
前記水栓は、基台に固定され湯水の流路が形成された水栓本体と、前記水栓本体の流路と連通した流路である第二流路が形成され前記水栓本体に回転自在に取付けられる回転軸と、前記回転軸に固定され前記第二流路を通過した前記湯水を外部へ吐出する吐水部と、前記吐水部と前記回転軸とを固定するための固定部材と、前記流路及び前記第二流路に流れる湯水を調節するとともに前記水栓本体に対して決まった位置で当該水栓本体に装着される操作部と、を備え、
前記水栓本体は前記回転軸の回転範囲を規制するストッパ部を有し、
前記回転軸は前記ストッパ部に当接することで回転が規制されるストッパ受け部を有し、
前記回転軸は前記固定部材によって前記吐水部が固定される取付部を有し、
更に、前記吐水部は前記固定部材によって前記回転軸が固定される固定部を有し、
前記吐水部は前記固定部を複数有し、前記複数の固定部の何れか一つを選択して用いて前記回転軸に前記吐水部を固定するか、
あるいは、前記回転軸は前記取付部を前記回線軸の周方向に複数有し、前記複数の取付部の何れか一つを選択して用いて前記吐水部を前記回転軸に固定することにより、
前記水栓本体に対する前記吐水部の回転範囲が変更可能であることを特徴とする。
【００１１】
このような構成とすれば、吐水部に設けられた複数の固定部のうちの何れか一つを選択するか、あるいは回転軸に設けられた複数の取付部のうちの何れか一つを選択することにより、水栓本体に対する前記吐水部の回転範囲を変更することができる。従って、水栓の設置条件、つまり、水栓が設置される場所に存在する障害物との位置関係に応じた回転範囲に設定することができ、右勝手設置及び左勝手設置のどちらの設置条件にも対応可能である。また、右勝手設置を行うか左勝手設置を行うかにより、水栓本体、回転軸及び吐水部について異なる部材を用意する必要がなく、一種類の部品セットで左勝手設置及び右勝手設置の両方に対応することができる。なお、水栓本体は、右勝手設置か左勝手設置かに応じて左右を反転させて基台に固定されるのでストッパの位置も変わるが、それに応じて、回転軸（または吐水部）に複数の取付部（または固定部）が設けられているので、右勝手設置、左勝手設置の両方に対応可能である。
【００１２】
ここで、前記固定部材はビスであり、前記取付部が前記ビス固定用の取付孔であり、前記固定部が前記ビス固定用の固定孔であり、
前記回転軸は左勝手設置用及び右勝手設置用の二つの取付孔を有し、更に、前記吐水部は、前記吐水部に形成された吐水口の向きと反対側の位置に前記固定孔を有し、
前記吐水口が前記操作部に向く方向に対して９０度回転した位置において前記取付孔に対して前記吐水部の前記固定孔にビス固定する構成とすることができる。
【００１３】
このような構成とすれば、前記吐水口が前記操作部に向く方向に対して９０度回転した位置において吐水部を背面側より固定することとなる結果、もし、回転軸の取付穴の位置が間違っていた場合は回転軸の取付孔にビス固定することができないので、取付けミスが生じることがない。即ち、右勝手設置または左勝手設置の取付けミスを防止することができる。
【００１４】
また、前記回転軸の露出部分に、前記右勝手設置用及び左勝手設置用の取付孔の位置を示す指標を設けることもできる。
【００１５】
このような構成とすれば、吐水部を吐水口が操作部に向く方向に対して９０度回転した位置で固定するとき、回転軸の露出部分に設けられた指標を目視することによって回転軸の取付穴の位置関係を確認できるので、取付けミスを防止することができる。
【発明の効果】
【００１６】
本発明により、水栓の設置場所に存在する障害物との位置関係に応じて、構成部品を変更することなく、右勝手設置及び左勝手設置のどちらの設置条件にも対応可能な水栓取付構造を提供することができる。
【図面の簡単な説明】
【００１７】
【図１】本発明の実施形態である水栓取付構造（右勝手設置）を示す平面図である。
【図２】図１のＡ−Ａ線における断面図である。
【図３】図２のＢ−Ｂ線における断面図である。
【図４】図２のＣ−Ｃ線における断面図である。
【図５】図４中の回転軸が回転した状態を示す断面図である。
【図６】図１に示す水栓取付構造の一部省略平面図である。
【図７】図２中の回転軸が誤装着された状態を示す断面図である。
【図８】誤装着された回転軸に吐水口が装着された状態を示す断面図である。
【図９】本発明の実施形態である水栓取付構造（左勝手設置）を示す平面図である。
【図１０】図９のＤ−Ｄ線における断面図である。
【図１１】図１０のＥ−Ｅ線における断面図である。
【図１２】図１０のＦ−Ｆ線における断面図である。
【図１３】図１２中の回転軸が回転した状態を示す断面図である。
【図１４】図９に示す水栓取付構造の一部省略平面図である。
【図１５】従来の水栓取付構造を示す平面図である。
【発明を実施するための形態】
【００１８】
以下、図面に基づいて、本発明の実施形態について説明する。本実施形態の水栓取付構造は、図１，図９に示すように、ユニットバスＵＢの浴槽３０の上縁部３１に水栓１０を設置した事例であり、水栓１０が取り付けられる場所に存在する障害物である壁面Ｗと水栓１０との位置関係に応じて「右勝手設置」（図１参照）、「左勝手設置」（図９参照）のどちらにも対応可能である。
【００１９】
まず、図１〜図８に基づいて「右勝手設置」について説明する。図１，図２に示すように、水栓１０は、基台である浴槽３０の上縁部３１に固定され湯水の流路１１が形成された水栓本体１２と、水栓本体１２の流路１１と連通した流路である第二流路１３が形成され水栓本体１２内に回転自在に取付けられた略円筒状の回転軸１４と、回転軸１４に固定され第二流路１３を通過した湯水を外部へ吐出する吐水部１５と、吐水部１５と回転軸１４とを固定するための固定部材であるビス１６と、流路１１に流れる湯水を調節するとともに水栓本体１２に対して決まった位置で当該水栓本体１２に装着される二つの操作部１７，１８と、を備えている。
【００２０】
水栓本体１２はその上端部１２ｕを、浴槽３０の上縁部３１に開設された固定孔３２の下方から上方に向かって貫通させ、上縁部３１の上方から水栓本体１２の上端部１２ｕに螺着した固定ナット２０と、水栓本体１２のフランジ部１２ｆと、によって上縁部３１を挟持して固定されている。なお、水栓本体１２のフランジ部１２ｆと上縁部３１との間には複数のシール材２１が介在されている。
【００２１】
図２，図４に示すように、水栓本体１２の内周面の底部近傍には回転軸１４の回転範囲を規制するリブ状のストッパ部１２ｓが設けられ、回転軸１４の下部には、ストッパ部１２ｓに当接することで水栓本体１２に対する当該回転軸１４の回転を規制するストッパ受け部１４ｓ，１４ｔが設けられている。図４に示すように、略円筒状をした回転軸１４の下端付近の周壁をその周方向に渡って９０度削除して切欠部１４ｄを設けることによってストッパ受け部１４ｓ，１４ｔが形成されている。なお、切欠部１４ｄの範囲は９０度に限定するものではないので設置場所に応じて設定することができる。
【００２２】
図２，図３に示すように、回転軸１４の外周には、凹状をした二つの取付穴１４ａ，１４ｂが形成され、吐水部１５の基端部１５ｂに開設された固定孔１５ａから回転軸１４に向かって螺入されたビス１６の先端を取付穴１４ａ，１４ｂのいずれかに嵌入させることによって吐水部１５が回転軸１４に固定される。
【００２３】
図３に示すように、二つの取付穴１４ａ，１４ｂは回転軸１４の周方向に沿って９０度隔てた位置に設けられ、ビス１６を固定孔１５ａに螺入する際に、二つの取付穴１４ａ，１４ｂの何れか一つを選択的に用いて吐水部１５を回転軸１４に固定することにより、水栓本体１２に対する吐水部１５の回転範囲が変更可能である。なお、吐水部１５に複数の固定孔を設け、複数の固定孔の何れか一つを選択して用いて回転軸に吐水部を固定する方式を採用することもできる。
【００２４】
回転軸１４に設けられた取付穴１４ａは図１に示す右勝手設置用であり、取付穴１４ｂは図９に示す左勝手設置用である。また、吐水部１５に形成された吐水口１５ｃの向きと反対側の位置の基端部１５ｂに固定孔１５ａが開設されている。図１，図２に示す「右勝手設置」の場合、吐水口１５ｃが操作部１７，１８に向く方向から時計回りに９０度回転した状態にある吐水部１５の取付孔１５ａは、吐水口１５ｃを正面としたとき、吐水部１５の背面側に位置しており、この背面側の取付孔１５ａより螺入したビス１６によって吐水部１５が回転軸１４に固定されている。
【００２５】
図１，図２に示すように、吐水部１５の吐水口１５ｃが操作部１７，１８に向く方向から時計回りに９０度回転した位置にあるとき、水栓本体１２のストッパ１２ｓと回転軸１４のストッパ受け部１４ｓ，１４ｔとは図４に示す状態にある。即ち、回転軸１４のストッパ受け部１４ｔが水栓本体１２のストッパ１２ｓに当接し、ストッパ受け部１４ｓはストッパ１２ｓから９０度離れた状態にある。従って、回転軸１４は、図４に示す状態と図５に示す状態との範囲内で回転自在であり、回転軸１４に固定された吐水部１５は図１に示す角度１５Ｒの範囲内で回転自在である。このため、吐水部１５を回転させたときに壁面Ｗに当接することがない。
【００２６】
浴槽３０の上縁部３１に水栓１０を取り付ける工程において、図６に示すように、吐水部１５を回転軸１４に固定する前の段階で露出状態にある回転軸１４の上端面１４ｕに、右勝手設置用の取付穴１４ａ（図３参照）の位置を示す指標１４ｒ及び左勝手設置用の取付穴１４ｂ（図３参照）の位置を示す指標１４ｌが設けられている。従って、図１に示すように、吐水部１５を吐水口１５ｃが操作部１７，１８に向く方向に対して時計回りに９０度回転した位置で固定するとき、回転軸１４の露出部分に設けられた指標１４ｒ，１４ｌを目視することによって回転軸１４の取付穴１４ａ，１４ｂの位置関係を確認できるので、取付けミスを防止することができる。
【００２７】
また、浴槽３０の上縁部３１に水栓１０を「右勝手設置」の形態で取り付ける場合、固定ナット２０によって上縁部３１に固定された水栓本体１２のストッパ１２ｓに対する回転軸１４のストッパ受け部１４ｓ，１４ｔの位置関係は図４に示す状態となっていなければならない。ところが、作業ミスなどにより、回転軸１４が図７に示す状態のままで吐水部１５を回転軸１４に固定しようとした場合、図８に示すように、固定孔１５ａに螺入したビス１６の先端部は取付穴１４ａ，１４ｂから外れた回転軸１４の外周面に接触する。即ち、回転軸１４の取付穴１４ａ，１４ｂの位置が間違っていた場合は回転軸１４の取付孔１４ａ，１４ｂのいずれにもビス１６先端を固定することができない。このように、ビス１６が取付孔１４ａ、１４ｂのいずれにも固定できないときは吐水部１５内部に納まらないように、ビス１６の長さが設定されているので、外部から目視することでも、取付けミスであることを容易に認識することができ、取付けミスが生じることがない。
【００２８】
次に、図９〜図１４に基づいて「左勝手設置」について説明する。図９，図１０に示す「左勝手設置」の場合、吐水口１５ｃが操作部１７，１８に向く方向から反時計回りに９０度回転した状態にある吐水部１５の取付孔１５ａは、吐水口１５ｃを正面としたとき、吐水部１５の背面側に位置しており、この背面側の取付孔１５ａから螺入したビス１６によって吐水部１５が回転軸１４に固定されている。
【００２９】
図９，図１０に示すように、吐水部１５の吐水口１５ｃが操作部１７，１８に向く方向から反時計回りに９０度回転した位置にあるとき、水栓本体１２のストッパ１２ｓと回転軸１４のストッパ受け部１４ｓ，１４ｔとは図１２に示す状態にある。即ち、回転軸１４のストッパ受け部１４ｓが水栓本体１２のストッパ１２ｓに当接し、ストッパ受け部１４ｔはストッパ１２ｓから９０度離れた状態にある。従って、回転軸１４は、図１２に示す状態と図１３に示す状態との範囲内で回転自在であり、回転軸１４に固定された吐水部１５は図９に示す角度１５Ｌの範囲内で回転自在である。このため、吐水部１５を回転させたときに壁面Ｗに当接することがない。
【００３０】
また、図１４に示すように、吐水部１５を回転軸１４に固定する前の段階で露出状態にある回転軸１４の上端面１４ｕに、右勝手設置用の取付穴１４ａ（図３参照）の位置を示す指標１４ｒ及び左勝手設置用の取付穴１４ｂ（図１１参照）の位置を示す指標１４ｌが設けられている。従って、図９に示すように、吐水部１５を吐水口１５ｃが操作部１７，１８に向く方向に対して反時計回りに９０度回転した位置で固定するとき、回転軸１４の露出部分に設けられた指標１４ｒ，１４ｌを目視することによって回転軸１４の取付穴１４ａ，１４ｂの位置関係を確認できるので、取付けミスを防止することができる。
【００３１】
また、浴槽３０の上縁部３１に水栓１０を「左勝手設置」の形態で取り付ける場合、作業ミスなどにより、回転軸１４の取付穴１４ａ，１４ｂの位置が間違っていた場合、図８で示したように、回転軸１４の取付孔１４ａ，１４ｂのいずれにもビス１６先端を固定することができないので、取付けミスが生じることがない。
【００３２】
以上のように、水栓１０の回転軸１４に設けられた二つの取付穴１４ａ，１４ｂのうちの何れか一つを選択してビス１６先端を嵌入させることにより、水栓本体１２に対する吐水部１５の回転範囲を変更することができる。従って、水栓１０が設置される場所（例えば、ユニットバスＵＢ）に存在する障害物（例えば、壁面Ｗ）との位置関係に応じた回転範囲に設定することができ、「右勝手設置」及び「左勝手設置」のどちらの設置条件にも対応可能である。
【００３３】
従って、「右勝手設置」を行うか「左勝手設置」を行うかにより、水栓本体１２、回転軸１４及び吐水部１５について異なる部材を用意する必要がなく、一種類の部品セットで「左勝手設置」及び「右勝手設置」の両方に対応することができる。なお、水栓本体１２は、「右勝手設置」か「左勝手設置」を選択するかに応じて左右を反転させて基台（上縁部３１）に固定されるのでストッパ１２ｓの位置も変わるが、それに応じて、回転軸１４に二つの取付穴１４ａ，１４ｂが設けられているので、「右勝手設置」、「左勝手設置」の両方に対応可能である。
【００３４】
また、吐水部１５の吐水口１５ｃが操作部１７，１８の方向に向く方向に対して９０度回転した位置において吐水部１５を背面側より回転軸１４に固定する方式としたことにより、もし、回転軸１４の取付穴１４ａ，１４ｂの位置が間違っていた場合は回転軸１４の取付孔１４ａ，１４ｂにビス１６を固定することができないので、取付けミスが生じることがない。このため、「右勝手設置」または「左勝手設置」の取付けミスを防止することができる。
【００３５】
さらに、回転軸１４の露出部分である上端面１４ｕに、「左勝手設置用」及び「右勝手設置用」の取付孔１４ａ，１４ｂの位置を示す指標１４ｒ，１４ｌを設けたことにより、吐水部１５を吐水口１５ｃが操作部１７，１８に向く方向に対して９０度回転した位置で固定するとき、回転軸１４の露出部分に設けられた指標１４ｒ，１４ｌを目視することによって回転軸１４の取付穴１４ａ，１４ｂの位置関係を確認できるので、取付けミスを防止することができる。
【００３６】
なお、前述の実施形態においては、浴槽３０の上縁部３１の下部に水栓本体１２が埋め込まれている水栓１０について説明したが、これに限定するものではなく、水栓本体１２が、上縁部３１の上面に固定される方式のものであっても実現可能であることはいうまでもない。
【００３７】
さらに、前述の実施形態では、回転軸１４に設けられた凹形状の取付孔１４ａ，１４ｂの各々を一つ一つの取付部とした場合について説明したが、これに限定されるものではない。例えば、一対の凹形状部からなる取付部を複数回転軸に備えるとともに、一対の孔からなる一つの固定部を吐水部に備え、各固定位置において、２本のビスによって吐水部と回転軸とを固定する構成としても良い。
【産業上の利用可能性】
【００３８】
本発明の水栓取付構造は、一般住宅あるいはホテルや旅館などの宿泊施設の浴室や洗面化粧台などのカウンタに取付けられる水栓の施工技術として広く利用することができる。
【符号の説明】
【００３９】
１０  水栓
１１  流路
１２  水栓本体
１２ｆ  フランジ部
１２ｓ  ストッパ部
１２ｕ  上端部
１３  第二流路
１４  回転軸
１４ａ，１４ｂ  取付穴
１４ｌ，１４ｒ  指標
１４ｓ，１４ｔ  ストッパ受け部
１４ｕ  上端面
１５  吐水部
１５ａ，３２  固定孔
１５ｂ  基端部
１５ｃ  吐水口
１５Ｌ，１５Ｒ  角度
１６  ビス
１７，１８  操作部
２０  固定ナット
２１  シール材
３０  浴槽
３１  上縁部
ＵＢ  ユニットバス
Ｗ  壁面
【図１】
2010229686.tif 000003
【図２】
2010229686.tif 000004
【図３】
2010229686.tif 000005
【図４】
2010229686.tif 000006
【図５】
2010229686.tif 000007
【図６】
2010229686.tif 000008
【図７】
2010229686.tif 000009
【図８】
2010229686.tif 000010
【図９】
2010229686.tif 000011
【図１０】
2010229686.tif 000012
【図１１】
2010229686.tif 000013
【図１２】
2010229686.tif 000014
【図１３】
2010229686.tif 000015
【図１４】
2010229686.tif 000016
【図１５】
2010229686.tif 000017